(57)【要約】      （修正有）【課題】締結部材に組付けることが可能な多節ユニバーサル工具を提供する。【解決手段】組付部１１と断面が多角形を呈する第１収容空間とを備え、第１収容空間の裏壁に第１凹部が設けられている組付部材１と断面が多角形を呈する第２ボール状ヘッドと第２収容空間とを備え、第２ボール状ヘッドには、常時に径方向に沿って外へ押し付ける第２弾性付き押付部材が設けられており、第２収容空間の裏壁に第２凹部が設けられている接続部材２と断面が多角形を呈する第３ボール状ヘッドと作業部３２とを備え、第３ボール状ヘッドには、常時に径方向に沿って外へ押し付ける第３弾性付き押付部材が設けられている作業部材３と一方が第１収容空間と第２ボール状ヘッドとに弾性的に押し付け、他方が第２収容空間と第３ボール状ヘッドとに弾性的に押し付ける二つの弾性部材とを備える。【選択図】図１
0003224482.tif 000002
【実用新案登録請求の範囲】
【請求項１】
組付部と、断面が多角形を呈する第１収容空間と、を備え、前記第１収容空間の裏壁に第１凹部が設けられている組付部材と、
断面が多角形を呈する第２ボール状ヘッドと、第２収容空間と、を備え、前記第２ボール状ヘッドには、常時に径方向に沿って外へ押し付ける第２弾性付き押付部材が設けられており、前記第２収容空間の裏壁に第２凹部が設けられており、前記第２ボール状ヘッドは、前記第１収容空間に差し込まれ、前記第１収容空間内で第１位置と第２位置との間にスライド自在である接続部材と、
断面が多角形を呈する第３ボール状ヘッドと、作業部と、を備え、前記第３ボール状ヘッドには、常時に径方向に沿って外へ押し付ける第３弾性付き押付部材が設けられており、前記第３ボール状ヘッドは、前記第２収容空間に差し込まれ、前記第２収容空間内で第１位置と第２位置との間にスライド自在である作業部材と、
一方が前記第１収容空間と前記第２ボール状ヘッドとに弾性的に押し付け、他方が前記第２収容空間と前記第３ボール状ヘッドとに弾性的に押し付け、前記第２ボール状ヘッドと前記第３ボール状ヘッドとを前記第２位置へ常時に付勢する二つの弾性部材と、を備え、
前記第２ボール状ヘッドが前記第１位置に位置するときには、前記第２弾性付き押付部材が前記第１凹部に弾性的に押し付け、前記接続部材が、前記第２ボール状ヘッドを軸として前記組付部材に対して揺動できず、前記第２ボール状ヘッドが力を受けて前記第２位置へ移動するときには、前記第２弾性付き押付部材が前記第１凹部から離脱して、前記第２ボール状ヘッドが、前記弾性部材に弾性的に押し付けられて、前記第２位置に移動して、前記接続部材が、前記第２ボール状ヘッドを軸として揺動することが可能であり、
前記第３ボール状ヘッドが前記第１位置に位置するときには、前記第３弾性付き押付部材が前記第２凹部に弾性的に押し付け、前記作業部材が、前記第３ボール状ヘッドを軸として前記接続部材に対して揺動できず、前記第３ボール状ヘッドが外力を受けて前記第２位置へ移動するときには、前記第３弾性付き押付部材が前記第２凹部から離脱して、前記第３ボール状ヘッドが、前記弾性部材に弾性的に押し付けられて、前記第２位置に移動して、前記作業部材が、前記第３ボール状ヘッドを軸として、前記接続部材に対して揺動することが可能であることを特徴とする、
多節ユニバーサル工具。
【請求項２】
前記第１凹部は、前記第１収容空間の裏壁に設けられている第１環状溝であり、前記第２凹部は、前記第２収容空間の裏壁に設けられている第２環状溝であることを特徴とする、請求項１に記載の多節ユニバーサル工具。
【請求項３】
前記第１収容空間と前記第２収容空間との裏壁には、軸方向に延在する複数の係合突起がそれぞれ設けられており、前記第２ボール状ヘッドと前記第３ボール状ヘッドとには、複数の円弧面段がそれぞれ設けられており、前記第２ボール状ヘッドのこれらの前記円弧面段は、前記第１収容空間の前記係合突起にそれぞれ押し付け、前記第３ボール状ヘッドのこれらの前記円弧面段は、前記第２収容空間の前記係合突起にそれぞれ押し付けることを特徴とする、請求項２に記載の多節ユニバーサル工具。
【請求項４】
前記第１収容空間と前記第２収容空間とには、更に、軸方向に延在する複数の係合凹みがそれぞれ設けられており、これらの前記係合突起とこれらの前記係合凹みとは、前記第１収容空間または前記第２収容空間の周方向に沿って交錯するように設けられており、前記第１環状溝と前記第２環状溝とは、これらの前記係合突起及びこれらの前記係合凹みで延在し、前記第２ボール状ヘッドと前記第３ボール状ヘッドとの任意の隣接する前記二つの円弧面段の間に角部が形成され、各前記角部は前記係合凹みに押し付け、前記接続部材が前記第１位置に位置するときには、前記第２収容空間の端面が、軸方向に沿って前記第１収容空間の端面に押し付け、前記接続部材が前記第２位置に位置するときには、前記第２収容空間の端面が、軸方向に沿って前記第１収容空間の端面に押し付けないことを特徴とする、請求項３に記載の多節ユニバーサル工具。
【請求項５】
前記作業部材には、更に、径方向凸縁が一体に成形されており、前記径方向凸縁は前記作業部と前記第３ボール状ヘッドとの間に位置し、前記作業部材が前記第１位置に位置するときには、前記径方向凸縁が前記第２収容空間の裏壁に押し付け、前記作業部材が前記第２位置に位置するときには、前記径方向凸縁が前記第２収容空間の裏壁に押し付けず、前記第１収容空間と前記第２収容空間との裏壁には、更に、脱着可能な規制部材が設けられており、前記第２ボール状ヘッドまたは前記第３ボール状ヘッドが前記第２位置に移動すると、前記第１収容空間または前記第２収容空間の規制部材は、前記第２ボール状ヘッドまたは前記第３ボール状ヘッドを係止して、前記第２ボール状ヘッドまたは前記第３ボール状ヘッドが離脱不能となり、前記二つの弾性部材は、前記組付部材から前記作業部材へ徐々に縮径し、前記第２ボール状ヘッドと前記第３ボール状ヘッドとの組付部材に向く端面にそれぞれ押し付け、前記第１収容空間と前記第２収容空間とは、断面が六角形を呈する穴であり、前記第２ボール状ヘッドと前記第３ボール状ヘッドとは、断面が六角形を呈するボール状ヘッドであり、前記作業部は、断面が四角形を呈するヘッドであり、前記組付部は、断面が多角形を呈する穴であることを特徴とする、請求項１から４の何れかの１項に記載の多節ユニバーサル工具。
【考案の詳細な説明】
【技術分野】
【０００１】
本考案は、多節ユニバーサル工具に関するものである。
【背景技術】
【０００２】
ユニバーサルジョイントは、多角度に旋回可能な手工具に適用されることが可能であり、回転工具（例えばスパナ、空気圧駆動工具や電動工具など）と締結部材（スリーブ又は締付部材など）との間に組付けられるアダプタとするものである。
従来のユニバーサルジョイントは、ボール状ヘッド台と、駆動ロッドと、を備える。前記駆動ロッドの一端にボール状ヘッドが設けられている。前記ボール状ヘッドは、前記ボール状ヘッド台に対して回動できないように、前記ボール状ヘッド台にスライド可能に設けられている。前記駆動ロッドは、固定位置と揺動位置との間に移動自在であるように、前記ボール状ヘッド台をスライドすることが可能である。前記駆動ロッドが前記固定位置に位置するときには、前記駆動ロッドの径方向凸部が前記ボール状ヘッド台に係止されて相対的に揺動することができない。前記ボール状ヘッド台から前記駆動ロッドを揺動位置まで引き出すと、前記駆動ロッドの前記径方向凸部が、前記ボール状ヘッド台に係止されず、前記ボール状ヘッド台に対して揺動することが可能である。これにより、前記ユニバーサルジョイントは、多角度に旋回することが可能となり、狭い作業環境でも操作することが可能である。
しかし、作業環境が曲がって狭すぎると（例えば狭くて長い湾曲する穴）、回転工具とユニバーサルジョイントだけで、締結部材に組付けることができないため、作業が困難となる問題があった。
【考案の概要】
【考案が解決しようとする課題】
【０００３】
本考案の主な目的は、狭くて長い湾曲する環境でも、締結部材に組付けて螺子などを回転することが可能な多節ユニバーサル工具を提供することにある。
【課題を解決するための手段】
【０００４】
本考案の多節ユニバーサル工具によると、組付部と、断面が多角形を呈する第１収容空間と、を備え、第１収容空間の裏壁に第１凹部が設けられている組付部材と、断面が多角形を呈する第２ボール状ヘッドと、第２収容空間と、を備え、第２ボール状ヘッドには、常時に径方向に沿って外へ押し付ける第２弾性付き押付部材が設けられており、第２収容空間の裏壁に第２凹部が設けられており、第２ボール状ヘッドは、第１収容空間に差し込まれ、第１収容空間内で第１位置と第２位置との間にスライド自在である接続部材と、断面が多角形を呈する第３ボール状ヘッドと、作業部と、を備え、第３ボール状ヘッドには、常時に径方向に沿って外へ押し付ける第３弾性付き押付部材が設けられており、第３ボール状ヘッドは、第２収容空間に差し込まれ、第２収容空間内で第１位置と第２位置との間にスライド自在である作業部材と、一方が第１収容空間と第２ボール状ヘッドとに弾性的に押し付け、他方が第２収容空間と第３ボール状ヘッドとに弾性的に押し付け、第２ボール状ヘッドと第３ボール状ヘッドとを第２位置へ常時に付勢する二つの弾性部材と、を備え、第２ボール状ヘッドが第１位置に位置するときには、第２弾性付き押付部材が第１凹部に弾性的に押し付け、接続部材が、第２ボール状ヘッドを軸として組付部材に対して揺動できず、第２ボール状ヘッドが力を受けて第２位置へ移動するときには、第２弾性付き押付部材が第１凹部から離脱して、第２ボール状ヘッドが、弾性部材に弾性的に押し付けられて、第２位置に移動して、接続部材が、第２ボール状ヘッドを軸として揺動することが可能であり、第３ボール状ヘッドが第１位置に位置するときには、第３弾性付き押付部材が第２凹部に弾性的に押し付け、作業部材が、第３ボール状ヘッドを軸として接続部材に対して揺動できず、第３ボール状ヘッドが外力を受けて第２位置へ移動するときには、第３弾性付き押付部材が第２凹部から離脱して、第３ボール状ヘッドが、弾性部材に弾性的に押し付けられて、第２位置に移動して、作業部材が、第３ボール状ヘッドを軸として、接続部材に対して揺動することを特徴とする。
【０００５】
本考案の多節ユニバーサル工具によると、第１凹部は、第１収容空間の裏壁に設けられている第１環状溝であり、第２凹部は、第２収容空間の裏壁に設けられている第２環状溝であることを特徴とする。
【０００６】
本考案の多節ユニバーサル工具によると、第１収容空間と第２収容空間との裏壁には、軸方向に延在する複数の係合突起がそれぞれ設けられており、第２ボール状ヘッドと第３ボール状ヘッドとには、複数の円弧面段がそれぞれ設けられており、第２ボール状ヘッドのこれらの円弧面段は、第１収容空間の係合突起にそれぞれ押し付け、第３ボール状ヘッドのこれらの円弧面段は、第２収容空間の係合突起にそれぞれ押し付けることを特徴とする。
【０００７】
本考案の多節ユニバーサル工具によると、第１収容空間と第２収容空間とには、更に、軸方向に延在する複数の係合凹みがそれぞれ設けられており、これらの係合突起とこれらの係合凹みとは、第１収容空間または第２収容空間の周方向に沿って交錯するように設けられており、第１環状溝と第２環状溝とは、これらの係合突起及びこれらの係合凹みで延在し、第２ボール状ヘッドと第３ボール状ヘッドとの任意の隣接する二つの円弧面段の間に角部が形成され、各角部は係合凹みに押し付け、接続部材が第１位置に位置するときには、第２収容空間の端面が、軸方向に沿って第１収容空間の端面に押し付け、接続部材が第２位置に位置するときには、第２収容空間の端面が、軸方向に沿って第１収容空間の端面に押し付けないことを特徴とする。
【０００８】
本考案の多節ユニバーサル工具によると、作業部材には、更に、径方向凸縁が一体に成形されており、径方向凸縁は作業部と第３ボール状ヘッドとの間に位置し、作業部材が第１位置に位置するときには、径方向凸縁が第２収容空間の裏壁に押し付け、作業部材が第２位置に位置するときには、径方向凸縁が第２収容空間の裏壁に押し付けず、第１収容空間と第２収容空間との裏壁には、更に、脱着可能な規制部材が設けられており、第２ボール状ヘッドまたは第３ボール状ヘッドが第２位置に移動すると、第１収容空間または第２収容空間の規制部材は、第２ボール状ヘッドまたは第３ボール状ヘッドを係止して、第２ボール状ヘッドまたは第３ボール状ヘッドが離脱不能となり、二つの弾性部材は、組付部材から作業部材へ徐々に縮径し、第２ボール状ヘッドと第３ボール状ヘッドとの組付部材に向く端面にそれぞれ押し付け、第１収容空間と第２収容空間とは、断面が六角形を呈する穴であり、第２ボール状ヘッドと第３ボール状ヘッドとは、断面が六角形を呈するボール状ヘッドであり、作業部は、断面が四角形を呈するヘッドであり、組付部は、断面が多角形を呈する穴であることを特徴とする。
【考案の効果】
【０００９】
本考案の多節ユニバーサル工具によれば、狭くて長い湾曲する環境に差し込んで、締結部材に組付けることが可能であり、且つ第２ボール状ヘッドと第３ボール状ヘッドとは、第１凹部、第２凹部及び二つの弾性部材を利用することにより、第１位置または第２位置に迅速に位置決めることが可能であり、任意に相対的にスライドすることができないという効果を有する。
【図面の簡単な説明】
【００１０】
【図１】本考案の実施の形態１に係る多節ユニバーサル工具を示す之斜視図である。
【図２】本考案の実施の形態１に係る多節ユニバーサル工具を示す之分解斜視図である。
【図３】本考案の実施の形態１に係る多節ユニバーサル工具を示す断面図である。
【図４】本考案の実施の形態１に係る多節ユニバーサル工具の使用状態を示す断面図である。
【図５】本考案の実施の形態２に係る多節ユニバーサル工具を示す斜視図である。
【図６】本考案の実施の形態２に係る多節ユニバーサル工具を示す斜視図である。
【考案を実施するための形態】
【００１１】
以下、本考案の実施の形態を図面に基づいて説明する。
【００１２】
（実施の形態１）
図１から図４を参照する。本実施の形態に係る多節ユニバーサル工具は、組付部材１と、接続部材２と、作業部材３と、二つの弾性部材４１と、を備える。
【００１３】
組付部材１は、組付部１１と、断面が多角形を呈する第１収容空間１２と、を備える。第１収容空間１２の裏壁に第１凹部１３が設けられている。
【００１４】
接続部材２は、断面が多角形を呈する第２ボール状ヘッド２１と、第２収容空間２２と、を備える。第２ボール状ヘッド２１には、常時に径方向に沿って外へ付勢する第２弾性付き押付部材２３が設けられている。第２収容空間２２の裏壁に第２凹部２４が設けられている。第２ボール状ヘッド２１は、第１収容空間１２に差し込まれ、第１位置と第２位置との間に移動自在であるように、第１収容空間１２をスライドすることが可能である。
【００１５】
作業部材３は、断面が多角形を呈する第３ボール状ヘッド３１と、作業部３２と、備える。第３ボール状ヘッド３１には、常時に径方向に沿って外へ付勢する第３弾性付き押付部材３３が設けられている。第３ボール状ヘッド３１は、第２収容空間２２に差し込まれ、第１位置と第２位置との間に移動自在であるように、第２収容空間２２をスライドすることが可能である。
本実施の形態では、作業部３２が締結部材またはスリーブに組付けるためのものであり、組付部１１が回転工具に組付けるためのものである。本実施の形態に係る第１収容空間１２と第２収容空間２２とは、断面が六角形を呈する穴であり、第２ボール状ヘッド２１と第３ボール状ヘッド３１とは、断面が六角形を呈するボール状ヘッドであり、作業部３２は、断面が四角形を呈するヘッドであり、組付部１１は、前記回転工具に対応する多角形を呈する穴である。もちろん、上記の構造は、コーナーの数量が上記以外の数量を有する多辺形を呈する構造であってもよい。
【００１６】
二つの弾性部材４１は、一方が第１収容空間１２と第２ボール状ヘッド２１との間に配されており、他方が第２収容空間２２と第３ボール状ヘッド３１との間に配されており、常時第２ボール状ヘッド２１と第３ボール状ヘッド３１とを前記第２位置へ付勢する。
本実施の形態に係る二つの弾性部材４１は、組付部材１から作業部材３へ徐々に縮径し、第２ボール状ヘッド２１と第３ボール状ヘッド３１との組付部材１に向く端面にそれぞれ押し付ける。
【００１７】
第２ボール状ヘッド２１が前記第１位置に位置するときには、第２弾性付き押付部材２３が第１凹部１３に弾性的に押し付け、接続部材２が、第２ボール状ヘッド２１を軸として組付部材１に対して揺動することができない。第２ボール状ヘッド２１が力を受けて前記第２位置へ移動するときには、第２弾性付き押付部材２３が第１凹部１３から離脱して、第２ボール状ヘッド２１が弾性部材４１に弾性的に押し付けられて前記第２位置に移動して、接続部材２が、第２ボール状ヘッド２１を軸として揺動することが可能である。
第３ボール状ヘッド３１が前記第１位置に位置するときには、第３弾性付き押付部材３３が、第２凹部２４に弾性的に押し付け、作業部材３が、第３ボール状ヘッド３１を軸として、前記接続部材に対して揺動することができない。第３ボール状ヘッド３１が力を受けて前記第２位置へ移動するときには、第３弾性付き押付部材３３が第２凹部２４から離脱して、第３ボール状ヘッド３１が、弾性部材４１に弾性的に押し付けられて、前記第２位置に移動して、作業部材３が、第３ボール状ヘッド３１を軸として、接続部材２に対して揺動することが可能である。
二つの弾性部材４１により、第２ボール状ヘッド２１及び第３ボール状ヘッド３１が任意に前記第１位置に移動することを防止することが可能である。これにより、多角度に旋回することが可能となる。このため、第２ボール状ヘッド２１と第３ボール状ヘッド３１とを前記第２位置に移動することにより、本実施の形態に係る多節ユニバーサル工具は、伸び可能であり、多角度に回動することも可能である。このため、狭くて長い作業環境でも、差し込んで締結作業を行うことが可能である。もちろん、二つ以上の接続部材２を備えてもよい。これらの接続部材２を組付けて作業することにより、作業可能な穴の深さを増加することが可能である。
【００１８】
具体的には、第１凹部１３は第１収容空間１２の裏壁に設けられている第１環状溝１３１であり、第２凹部２４は第２収容空間２２の裏壁に設けられている第２環状溝２４１である。もちろん、第１凹部１３と第２凹部２４とは、貫通孔であってもよい。これにより、同じように、第２弾性付き押付部材２３と第３弾性付き押付部材３３とを収容することが可能である。
【００１９】
また、第１収容空間１２と第２収容空間２２との裏壁には、軸方向に延在する複数の係合突起５１がそれぞれ設けられている。第２ボール状ヘッド２１と第３ボール状ヘッド３１とには、複数の円弧面段５２がそれぞれ設けられている。第２ボール状ヘッド２１のこれらの前記円弧面段５２は、第１収容空間１２の係合突起５１にそれぞれ押し付ける。第３ボール状ヘッド３１のこれらの前記円弧面段５２は、第２収容空間２２の係合突起５１にそれぞれ押し付ける。
本実施の形態に係る第１収容空間１２と第２収容空間２２とには、更に、軸方向に延在する複数の係合凹み５３がそれぞれ設けられている。これらの前記係合突起５１とこれらの前記係合凹み５３とは、第１収容空間１２または第２収容空間２２の周方向に沿って交錯するように設けられている。第１環状溝１３１と第２環状溝２４１とは、これらの前記係合突起５１とこれらの前記係合凹み５３とで延在する。
第２ボール状ヘッド２１と第３ボール状ヘッド３１との任意の隣接する二つの円弧面段５２の間に角部５４が形成される。各角部５４は係合凹み５３に押し付けることにより、第２ボール状ヘッド２１と第３ボール状ヘッド３１とが第１収容空間１２と第２収容空間２２とに対して回動することを防止することが可能である。
【００２０】
接続部材２が前記第１位置に位置するときには、第２収容空間２２の端面が軸方向に沿って第１収容空間１２の端面に押し付ける。接続部材２が前記第２位置に位置するときには、第２収容空間２２の端面が軸方向に沿って第１収容空間１２の端面に押し付けない。これにより、接続部材２が組付部材１に対して揺動することを防止することが可能である。
【００２１】
作業部材３には、更に、径方向凸縁３４が一体に成形されている。径方向凸縁３４は、作業部３２と第３ボール状ヘッド３１との間に位置する。作業部材３が前記第１位置に位置するときには、径方向凸縁３４が第２収容空間２２の裏壁に押し付ける。これにより、作業部材３が接続部材２に対して揺動することを防止することが可能である。作業部材３が前記第２位置に位置するときには、径方向凸縁３４が第２収容空間２２の裏壁に押し付けない。
接続部材２には、更に、階段部２５が設けられていることが好ましい。接続部材２が前記第１位置に位置するときには、階段部２５が第１収容空間１２の裏壁に押し付ける。これにより、同じように、接続部材２が組付部材１に対して揺動することを防止することが可能である。
【００２２】
第１収容空間１２と第２収容空間２２との裏壁には、更に、脱着可能な規制部材４２が設けられていることが好ましい。第２ボール状ヘッド２１または第３ボール状ヘッド３１が前記第２位置に移動すると、第１収容空間１２または第２収容空間２２の規制部材が、第２ボール状ヘッド２１または第３ボール状ヘッド３１に係止されて、第２ボール状ヘッド２１または第３ボール状ヘッド３１が離脱不能となる。
【００２３】
（実施の形態２）
図５及び図６を参照する。本実施の形態に係る組付部材１Ａは、更に、延在ロッド１４を備える。延在ロッド１４の兩端は、組付部１１Ａ及び第１収容空間１２Ａとそれぞれ接続する。これにより、多節ユニバーサル工具の作業可能な長さを増加可能である。その他の構造は上記の実施の形態と同じなため、説明を省略した。
【００２４】
本考案に係る多節ユニバーサル工具によれば、狭くて長い湾曲する環境に差し込んで、締結部材に組付けることが可能であり、且つ第２ボール状ヘッドと第３ボール状ヘッドとは、前記第１凹部、前記第２凹部及び前記二つの弾性部材を利用することにより、前記第１位置または前記第２位置に迅速に位置決めることが可能であり、任意に相対的にスライドすることができない。
【００２５】
上記では、種々の実施の形態および変形例を説明したが、本考案はこれらの内容に限定されるものではない。本考案の技術的思想の範囲内で考えられるその他の態様も本考案の範囲内に含まれる。
【符号の説明】
【００２６】
１、１Ａ  組付部材
２  接続部材
３  作業部材
１１、１１Ａ  組付部
１２、１２Ａ  第１収容空間
１３  第１凹部
１４  延在ロッド
２１  第２ボール状ヘッド
２２  第２収容空間
２３  第２弾性付き押付部材
２４  第２凹部
２５  階段部
３１  第３ボール状ヘッド
３２  作業部
３３  第３弾性付き押付部材
３４  径方向凸縁
４１  弾性部材
４２  規制部材
５１  係合突起
５２  円弧面段
５３  係合凹み
５４  角部
１３１  第１環状溝
２４１  第２環状溝
【図１】
0003224482.tif 000003
【図２】
0003224482.tif 000004
【図３】
0003224482.tif 000005
【図４】
0003224482.tif 000006
【図５】
0003224482.tif 000007
【図６】
0003224482.tif 000008